(57)【要約】【課題】分散無線アクセスネットワークの移動体制御機能エンティティとセル制御機能エンティティの間でメッセージを経路指定する方法。【解決手段】本発明は、無線ネットワーク制御装置のセル制御から移動体制御までおよびその逆向きにメッセージを経路指定する方法に関する。そうした方法は、無線ネットワーク制御装置ＲＮＣの技術分野ではおおむね知られている。本発明は、知られているプロトコルを使用すると共にそれらのプロトコルですでに知られている識別子を再利用することによってメッセージの経路指定を可能にする、分散ＲＮＣの機能エンティティ間での通信を提案する。【選択図】      図１ｂ
2004274740.tif 000002
【特許請求の範囲】
【請求項１】
セルの共通制御チャネルＣＣＣＨ上の一端末によって以前に送信された無線リソース制御メッセージ（ＲＲＣ）を、特定のセルに関連する機能を制御することに寄与し、かつ前記セルに関連付けられた制御チャネルを終端することに寄与する、前記セルに関連付けられた前記セル制御（ＣＣ）から、前記端末が関連付けられた無線アクセスネットワークの分散無線ネットワーク制御装置の移動体制御（ＭＣ）まで経路指定する方法であって、前記移動体制御は、特定のユーザのために無線リソース制御ＲＲＣ接続と呼ばれる新規の信号接続が確立されたときに動的に作成され、
１ａ）前記端末と前記無線アクセスネットワークの間で無線リソース制御通信を事前に確立し、その結果、前記移動体制御がインスタンス化され、前記移動体制御と前記端末の両方が、識別子ＵＳＥＲ−ＩＤ、ならびに前記移動体制御に関連付けられた親ページングおよび同報通信の識別子ＰＰ＆Ｂ−ＩＤを用いて構成され、これらの識別子を用いて以後の無線リソース制御ＲＲＣメッセージ内の端末を一意に識別するステップと、
１ｂ）前記無線リソース制御メッセージを、前記端末から、前記端末が位置する前記セルの共通制御チャネルを介して、前記分散無線アクセスネットワーク内にある前記セルに関連付けられたセル制御に送信するステップと、
１ｃ）前記メッセージを、前記セル制御から前記セル制御に関連付けられた前記ページングおよび同報通信に転送するステップと、
１ｄ）前記セルに関連付けられた前記ページングおよび同報通信が前記親ページングおよび同報通信に対応する場合は、前記メッセージを、前記ページングおよび同報通信から前記ＵＳＥＲ−ＩＤによって識別される前記移動体制御に転送するステップと
を含む方法。
【請求項２】
前記ページングおよび同報通信（Ｐ＆Ｂ）が前記親ページングおよび同報通信に対応しない場合は、別法としてステップ１ｃ）で、前記メッセージが、前記セルに関連付けられた前記ページングおよび同報通信から、前記メッセージ内に含まれるＳＲＮＣ−ＩＤによって識別される前記親ページングおよび同報通信を介して、前記移動体制御（ＭＣ）に転送される（ステップ１ｃ−１）、１ｃ−２））ことを特徴とする請求項１に記載の方法。
【請求項３】
ステップ１ａ）が、
ａ１）前記端末から前記共通制御チャネル（ＣＣＣＨ）を介して前記端末が位置する前記セルの前記セル制御（ＣＣ）に前記ＲＲＣメッセージを送信するステップと、
ａ２）前記セル制御（ＣＣ）に関連付けられた前記ページングおよび同報通信（Ｐ＆Ｂ）に前記受信ＲＲＣメッセージについて通知するステップと、
ａ３）前記移動体制御に関連付けられた前記親ページングおよび同報通信（ＰＰ＆Ｂ）になる前記ページングおよび同報通信（Ｐ＆Ｂ）によって前記移動体制御（ＭＣ）をインスタンス化するステップと、
ａ４）前記親ページングおよび同報通信（ＰＰ＆Ｂ）によって前記端末と前記移動体制御（ＭＣ）の両方を識別する前記ＵＳＥＲ−ＩＤを割り振るステップと、
ａ５）前記親ページングおよび同報通信（ＰＰ＆Ｂ）によって前記ＵＳＥＲ−ＩＤおよび移動体制御（ＭＣ）のトランスポートアドレスを格納するステップと、
ａ６）前記移動体制御（ＭＣ）の前記ＵＳＥＲ−ＩＤ、ならびに前記親ページングおよび同報通信（ＰＰ＆Ｂ）の前記ＰＰ＆Ｂ−ＩＤおよびそのトランスポートアドレスを前記移動体制御（ＭＣ）に送信するステップと、
ａ７）既存のフィールドＳ−ＲＮＴＩおよびＳＲＮＣ−ＩＤ内に前記移動体制御（ＭＣ）の前記ＵＳＥＲ−ＩＤおよび前記ＰＰ＆Ｂ−ＩＤを含む確認メッセージを、前記インスタンス化された移動体制御（ＭＣ）から前記端末に送信するステップと
を含むことを特徴とする請求項１または２に記載の方法。
【請求項４】
メッセージを、特定のユーザのために無線リソース制御ＲＲＣ接続と呼ばれる新規の信号接続を確立するとき動的に作成される移動体制御から、前記メッセージ内でアドレス指定された特定のセルのセル制御まで経路指定する方法であって、前記セル制御は前記セルに関連付けられた被制御チャネルを終端し、前記移動体制御と前記セル制御の両方が無線アクセスネットワークの分散無線ネットワーク制御装置内の機能エンティティを表し、
４ａ）前記無線リソース制御接続を事前に確立し、その結果、前記移動体制御がインスタンス化され、それ自体およびそれに関連する端末を識別するＵＳＥＲ−ＩＤ、ならびにそれに関連する親ページングおよび同報通信のＰＰ＆Ｂ−ＩＤおよびトランスポートアドレスを認識し、前記接続確立を完了するように、前記ネットワークによって送信された前記無線リソース制御メッセージの既存のフィールドＳ−ＲＮＴＩおよびＳＲＮＣ−ｉｄに入れて前記ＵＳＥＲ−ＩＤおよびＰＰ＆Ｂ−ＩＤの両方を送信することによって、前記端末にも前記ＵＳＥＲ−ＩＤおよびＰＰ＆Ｂ−ＩＤの両方を認識させるステップと、
４ｂ）前記移動体制御およびそれに関連する親ページングおよび同報通信の前記ＵＳＥＲ−ｉｄおよび前記ＰＰ＆Ｂ−ｉｄを含むと共に、前記アドレス指定されたセルのＣｅｌｌ−ＩＤおよび前記アドレス指定されたセルに関連付けられたページングおよび同報通信のＰ＆Ｂ−ＩＤをさらに含む前記メッセージを、前記移動体制御から、前記移動体制御によって事前に知られているそのＰ＆Ｂ−ＩＤおよびトランスポートアドレスによって識別される前記親ページングおよび同報通信に送信するステップと、
４ｃ）前記メッセージを、前記親ページングおよび同報通信から、前記メッセージによってアドレス指定された前記セル制御に転送するステップと、
４ｄ）前記メッセージを、前記関連するセルの共通制御チャネルＣＣＣＨ上で前記アドレス指定された端末に直接送信するステップと
を含む方法。
【請求項５】
前記親ページングおよび同報通信（ＰＰ＆Ｂ）が、前記メッセージによってアドレス指定された前記セル制御に関連付けられた前記ページングおよび同報通信に対応しない場合には、別法としてステップ４ｃ）で、前記メッセージが、前記親ページングおよび同報通信（ＰＰ＆Ｂ）から、前記アドレス指定されたセル制御（ＣＣ）に関連付けられ前記対応するＰ＆Ｂ−ＩＤによって識別される前記ページングおよび同報通信（Ｐ＆Ｂ）を介して、前記セル制御（ＣＣ）に転送されることを特徴とする請求項４に記載の方法。
【請求項６】
ステップ４ｄ）で、前記メッセージが前記セル内のすべての端末に直接送信されると共に、前記メッセージ内に含まれる前記既存のフィールドＳＲＮＣ−ＩＤおよびＳ−ＲＮＴＩを、前記親ページングおよび同報通信を識別する前記ＰＰ＆Ｂ−ｉｄ、ならびに前記移動体制御と前記端末の両方を識別する前記ＵＳＥＲ−ＩＤで埋めることによって前記端末の特定の１つにアドレス指定されることを特徴とする請求項４または５の一項に記載の方法。
【請求項７】
ステップ４ａ）が、
ａ１）前記ＲＲＣメッセージを、前記端末から、前記共通制御チャネル（ＣＣＣＨ）を介して、前記端末が位置する前記セルの前記セル制御（ＣＣ）に送信するステップと、
ａ２）前記セル制御（ＣＣ）に関連付けられた前記ページングおよび同報通信（Ｐ＆Ｂ）に前記受信したＲＲＣメッセージについて通知するステップと、
ａ３）前記移動体制御に関連付けられた前記親ページングおよび同報通信（ＰＰ＆Ｂ）になる前記ページングおよび同報通信（Ｐ＆Ｂ）によって前記移動体制御（ＭＣ）をインスタンス化するステップと、
ａ４）前記親ページングおよび同報通信（ＰＰ＆Ｂ）によって前記端末と前記移動体制御（ＭＣ）の両方を識別する前記ＵＳＥＲ−ＩＤを割り振るステップと、
ａ５）前記親ページングおよび同報通信（ＰＰ＆Ｂ）によって前記ＵＳＥＲ−ＩＤおよび移動体制御（ＭＣ）のトランスポートアドレスを格納するステップと、
ａ６）前記移動体制御（ＭＣ）の前記ＵＳＥＲ−ＩＤ、ならびに前記親ページングおよび同報通信（ＰＰ＆Ｂ）の前記ＰＰ＆Ｂ−ＩＤおよび前記そのトランスポートアドレスを前記移動体制御（ＭＣ）に送信するステップと、
ａ７）前記既存のフィールドＳ−ＦＮＴＩおよびＳＲＮＣ−ＩＤ内に前記移動体制御（ＭＣ）の前記ＵＳＥＲ−ＩＤおよび前記ＰＰ＆Ｂ−ＩＤを含む確認メッセージを、前記インスタンス化された移動体制御（ＭＣ）から前記端末に送信するステップと
を含むことを特徴とする請求項４から６の一項に記載の方法。
【請求項８】
移動体制御（ＭＣ）、ページングおよび同報通信（Ｐ＆Ｂ）およびセル制御を機能エンティティとして含み、これらの機能エンティティが異なるネットワーク要素として実施されると共に、請求項１から７に記載の方法により相互にやりとりすることを特徴とする分散無線ネットワーク制御（ＲＮＣ）装置。
【請求項９】
少なくとも１つの請求項８に記載の分散無線ネットワーク制御（ＲＮＣ）を含むことを特徴とする無線アクセスネットワーク（ＲＡＮ）。
【請求項１０】
少なくとも１つの請求項９に記載の無線アクセスネットワーク（ＲＡＮ）を含むことを特徴とする中核ネットワーク（ＣＮ）。
【請求項１１】
請求項１から７に記載の方法を実施するようになされたコード手段を含む専用ソフトウェアを走らせるＲＮＣまたはＲＡＮのための分散サーバプラットフォーム。
【請求項１２】
請求項１から７に記載の方法を実施するようになされたコード手段を含む分散ＲＮＣまたはＲＡＮのためのコンピュータプログラム。
【発明の詳細な説明】
【技術分野】
【０００１】
本発明は、セルの共通制御チャネルＣＣＣＨ上の一端末によって以前に送信されたメッセージを、前記セルに関連付けられたセル制御ＣＣから、その端末が関連付けられた無線アクセスネットワークＲＡＮの分散無線ネットワーク制御ＲＮＣ装置の移動体制御ＭＣまで経路指定する方法に関する。前記移動体制御もセル制御も、その端末が関連付けられた分散無線アクセスネットワークＲＡＮに属する。
【０００２】
本発明はさらに、メッセージを、移動体制御機能エンティティから前記メッセージ内でアドレス指定された特定のセルのセル制御機能エンティティまで経路指定する方法に関する。この移動体制御もセル制御も、前記分散無線ネットワーク制御装置内の機能エンティティを表す。さらに、本発明は、分散無線ネットワーク制御装置、無線アクセスネットワーク、および前記分散無線ネットワーク制御装置によって使用されるコンピュータプログラムに関する。
【背景技術】
【０００３】
そうした方法、制御装置およびネットワークは、当技術分野でかなり知られている。具体的には、それらはユニバーサル移動体通信システムＵＭＴＳ技術について知られている。
【０００４】
欧州特許出願第１２０２５８６Ａ１号明細書には、ＵＭＴＳ無線ネットワークの基本概念が記載されている。最小構成では、そうした無線ネットワークは、少なくとも１つの端末、少なくとも１つの基地局、少なくとも１つの無線ネットワーク制御装置および最後に少なくとも１つの交換局を含む。この無線ネットワーク制御装置ＲＮＣは、かなり大きな地理的領域内のすべてのセルを制御する。端末と無線ネットワーク制御装置との間で信号をやりとりするために、さまざまなプロトコル、具体的には、無線リソース制御プロトコルが定義されている。これらのプロトコルは、メッセージが事前定義された内容のための一定数の情報フィールドを含む方式で転送される標準化構造を提供する。端末を識別するための元のＵＭＴＳ無線ネットワークＵＴＲＡＮアーキテクチャでは２つのパラメータが指定されている。それらは、そのユーザ接続のためのサービスＲＮＣを識別するＳＲＮＣ−ＩＤ、およびＲＲＣ確立中にサービスＲＮＣによって生成される、このサービスＲＮＣ内で一意の、そのユーザまたは端末の識別子である、Ｓ−ＲＮＴＩである。同様に、特定のセルを識別するために、２つのパラメータが指定されている。それらは、特定の領域の制御のための制御側ＲＮＣを識別するＣＲＮＣ−ＩＤ、およびそのＣＲＮＣによって制御される領域内のセルを一意に識別するＣ−ＩＤである。したがって、その内部構造が標準化されている複数のメッセージは、それに対応する情報で埋める必要のあるこれらのフィールドを含む。
【０００５】
しかし、前述の欧州特許出願第１２０２５８６Ａ１号明細書の出願後の合間に、そこに記載されたアーキテクチャは発展している。具体的には、無線ネットワーク制御装置（ＲＮＣ）が複数の機能エンティティに分割されている。前記発展型アーキテクチャは、出願番号０２３６０１６８．５の未公開の欧州特許出願明細書に記載されており、本願の図４に示されている。そこで示される機能エンティティはさまざまな範囲を持ち、たとえば、接続された１ユーザ当たり１つのインスタンスがあるユーザ範囲、１セル当たり１つのインスタンスがあるセル範囲、１グループのセルに１つのインスタンスがあるマルチセル範囲などがある。
【０００６】
この説明に関連する機能エンティティは、ページングおよび同報通信Ｐ＆Ｂ機能エンティティ、セル制御ＣＣ機能エンティティおよび移動体制御ＭＣ機能エンティティである。これ以後は、以下の説明を容易にするために、一般に、機能エンティティという語を省略するものとする。
【０００７】
ページングおよび同報通信Ｐ＆Ｂは、マルチセル範囲を持つ。これはとりわけ、着呼の場合に特定のユーザを位置指定するために使用されるページングメッセージ、およびそのメッセージを送信すべきセル内のすべてのユーザにある種の情報、たとえば短いニュースサービスなどを送信するために使用されるセル同報通信システムメッセージを配布するためのものである。
【０００８】
セル制御はセル範囲を持つ。これは、特定のセルに関連する制御機能に寄与するものであり、共通制御チャネルＣＣＣＨなど、このセルに関連付けられた制御チャネルを終端する。
【０００９】
移動体制御はユーザ範囲を持つ。これは、特定のユーザに無線リソース制御（ＲＲＣ）と呼ばれる新規の信号接続が確立されるときに動的にインスタンス化（ｉｎｓｔａｎｔｉａｔｅ）、すなわち作成される。これはＲＲＣ接続、およびＲＲＣ接続確立によって確立されるそのユーザの専用制御チャネルＤＣＣＨを終端する。
【００１０】
後段で述べるように、ページングおよび同報通信機能エンティティは、特定の移動体制御機能エンティティの作成（インスタンス化）で必要とされる。以下では、このページングおよび同報通信機能エンティティを、前記移動体制御の親ページングおよび同報通信ＰＰ＆Ｂと呼ぶ。
【００１１】
図４に見られるように、無線アクセスネットワークＲＡＮ、具体的には無線ネットワーク制御装置ＲＮＣは、中核ネットワークＣＮに接続される。基地局ＮＢに関連付けられたセル制御ＣＣとユーザ接続のための移動体制御ＭＣとの間で、特定のセルのＣＣＣＨ上で端末／ユーザＵＥによって送信されたメッセージを経路指定するためには、前述の各機能エンティティは相互にやりとりする必要がある。
【００１２】
【特許文献１】欧州特許出願第１２０２５８６Ａ１号明細書
【特許文献２】欧州特許出願第０２３６０１６８．５号明細書
【発明の開示】
【発明が解決しようとする課題】
【００１３】
本発明の目的は、従来技術から出発して、セル制御から移動体制御までメッセージを経路指定すると共に移動体制御からセル制御までメッセージを経路指定する可能な方法を、そうしたメッセージの経路指定で従来から使用されてきたプロトコルを変更せずに使用することのできる方式で提供することである。さらに、本発明の目的は、前記方法を実施するための分散無線ネットワーク制御ＲＮＣ装置および無線アクセスネットワークを提供することである。
【課題を解決するための手段】
【００１４】
前記目的は、請求項１の主題によって達成される。具体的にはこの目的は、
一セルの共通制御チャネルＣＣＣＨ上で一端末によって以前に送信された無線リソース制御メッセージを、前記セルに関連付けられたセル制御から、その端末が関連付けられた無線アクセスネットワークの分散無線ネットワーク制御装置の移動体制御まで経路指定する方法によって達成される。この方法は、
１ａ）結果として、移動体制御がインスタンス化されると共に、前記移動体制御と端末の両方が識別子ＵＳＥＲ−ＩＤ、およびその移動体制御に関連付けられた親ページングおよび同報通信の識別子ＰＰ＆Ｂ−ＩＤを用いて構成され、これらの識別子を使用して以後の無線リソース制御ＲＲＣメッセージ内の端末を一意に識別することになる、その端末と無線アクセスネットワークの間での無線リソース制御通信を事前に確立するステップと、
１ｂ）端末から、その端末が位置するセルの共通制御チャネルを介して、前記分散無線アクセスネットワーク内にある前記セルに関連付けられたセル制御に無線リソース制御ＲＲＣメッセージを送信するステップと、
１ｃ）セル制御から、前記セル制御が関連付けられたページングおよび同報通信にそのメッセージを転送するステップと、
１ｄ）そのセルに関連付けられたページングおよび同報通信がその親ページングおよび同報通信に対応する場合には、ページングおよび同報通信からＵＳＥＲ−ＩＤで識別される移動体制御にメッセージを転送するステップと
を含む。
【００１５】
この目的はさらに、請求項４の主題によって達成される。具体的にはこの目的は、
メッセージを、移動体制御から前記メッセージ内でアドレス指定された特定のセルのセル制御まで経路指定する方法によって達成される。移動体制御もセル制御も無線アクセスネットワークの分散無線ネットワーク制御装置内の機能エンティティを表す。この方法は、
４ａ）結果として、移動体制御がインスタンス化されると共にそれ自体およびそれに関連する端末を識別するＵＳＥＲ−ＩＤ、ならびにそれに関連する親ページングおよび同報通信のＰＰ＆Ｂ−ＩＤおよびトランスポートアドレスを認識し、かつ、ネットワークがその接続確立を完了するために送信する無線リソース制御メッセージの既存のフィールドＳ−ＲＮＴＩおよびＳＲＮＣ−ｉｄに入れて前記ＵＳＥＲ−ＩＤおよびＰＰ＆Ｂ−ＩＤの両方を送信することによってその端末にも前記ＵＳＥＲ−ＩＤおよびＰＰ＆Ｂ−ＩＤの両方を認識させることになる、無線リソース制御接続を事前に確立するステップと、
４ｂ）移動体制御およびそれに関連する親ページングおよび同報通信のＵＳＥＲ−ｉｄおよびＰＰ＆Ｂ−ｉｄを含み、アドレス指定されたセルのＣｅｌｌ−ＩＤおよび前記アドレス指定されたセルに関連付けられたページングおよび同報通信のＰ＆Ｂ−ＩＤをさらに含むメッセージを、その移動体制御から、その移動体制御に事前に知られているそのＰ＆Ｂ−ＩＤおよびトランスポートアドレスによって識別される親ページングおよび同報通信に送信するステップと、
４ｃ）この親および同報通信が移動体制御の親ページングおよび同報通信ＰＰ＆Ｂに対応する場合には、そのメッセージを親ページングおよび同報通信から、そのメッセージによってアドレス指定されたセル制御に転送するステップと、
４ｄ）そのメッセージを、関連するセルの共通制御チャネルＣＣＣＨ上で、アドレス指定された端末に直接送信するステップと
を含む。
【００１６】
両方法とも、無線ネットワーク制御装置ＲＮＣが単一ネットワーク要素としてはもはや存在せず前述の（異なるネットワーク要素に位置する可能性のある）さまざまなより小さい機能エンティティに分割されているが、元から使用されていた端末、すなわちＵＴＲＡＮアーキテクチャで使用される端末を変更する必要がないという利点を提供する。というのは、この発展型のアーキテクチャでは、前記前述のアーキテクチャでメッセージの経路指定に使用される無線リソース制御プロトコルも不変とすることができるからである。これは、前述のＲＮＣでの変更を端末から秘匿することによって実現される。より詳細には、この秘匿は、前記知られているプロトコル内の同じ標準化フィールドを使用して、それらのフィールドに新しい意味を適用すると共にそれらを適当な値で埋めることによって実現される。
【００１７】
具体的には、さまざまな制御メッセージにすでに存在するフィールドＳＲＮＣ−ＩＤがＲＮＣ−ＩＤで埋められなくなる。というのは、ＲＮＣがもはやネットワーク要素として存在しないからである。
【００１８】
その代わりに、前記ＳＲＮＣ−ＩＤフィールドを、特定の端末に関連付けられた移動体制御機能エンティティをインスタンス化するための親ページングおよび同報通信機能エンティティを識別するＰＰ＆Ｂ−ＩＤで埋める。やはり知られているプロトコルに存在するフィールドＳ−ＲＮＴＩでは、符号化される値は、親ページングおよび同報通信ＰＰ＆Ｂによって生成され、ＲＲＣ確立中に移動体制御がインスタンス化されるときに移動体制御に送信されるＵＳＥＲ−ＩＤになる。
【００１９】
同様に、さまざまな制御メッセージ内にすでに存在するフィールドＣＲＮＣ−ＩＤで符号化される値は、ＲＮＣ−ＩＤではなく、特定のセル制御機能エンティティに関連付けられたページングおよび同報通信機能エンティティのＰ＆Ｂ−ＩＤになる。フィールドＣ−ＩＤでは、符号化される値は、同じ関連ページングおよび同報通信機能エンティティを持つすべてのセル制御エンティティの中で一意の、セル制御に対応するＣｅｌｌ−ＩＤになる。
【００２０】
これらの方法のさらなる有利な実施形態が、各従属請求項の主題である。
【００２１】
本発明の目的は、さらに、特許請求される方法を実施するための分散無線ネットワーク制御装置、無線アクセスネットワークおよび中核ネットワーク、分散サーバプラットフォームおよび前記サーバプラットフォーム上で実行される少なくとも１つのコンピュータプログラムによって達成することができる。前記解決手段の利点は、特許請求される方法を参照して前述した利点と同一である。
【００２２】
以下では、添付の図を参照して本発明をより詳細に説明する。ただし、図４についてはすでに前述してあるので、以下では図中の参照番号によってのみこの図に言及する。
【発明を実施するための最良の形態】
【００２３】
図１ａに、本発明による、メッセージ、具体的には、端末ＵＥによって送信された無線リソース制御メッセージを、セル制御から、その端末が関連付けられた無線アクセスネットワークＲＡＮの分散無線アクセスネットワークＲＮＣの移動体制御ＭＣまで経路指定する方法を示す。
【００２４】
詳細には、この方法は、端末と無線アクセスネットワークＲＡＮの間で無線リソース通信ＲＲＣを確立する事前ステップ１ａ）を含む。前記確立するステップの結果として、移動体制御ＭＣがインスタンス化、すなわち作成され、その端末ＵＥおよび移動体制御ＭＣそれ自体を識別するＵＳＥＲ−ＩＤ、ならびにその移動体制御ＭＣに関連付けられた親ページングおよび同報通信ＰＰ＆Ｂ機能エンティティを識別するためのＰＰ＆Ｂ−ＩＤおよび前記ＰＰ＆Ｂのトランスポートアドレスが提供される。さらに、このＵＳＥＲ−ＩＤは、新規にインスタンス化された移動体制御ＭＣに関連付けられたトランスポートアドレスと共に、親ページングおよび同報通信ＰＰ＆Ｂに格納される。最後に、ＰＰ＆Ｂ−ＩＤおよびＵＳＥＲ−ＩＤは、それぞれ、既存のフィールドＳＲＮＣ−ＩＤおよびＳ−ＲＮＴＩに入れて端末ＵＥに送信される。これ以後、その端末ＵＥは、常に、それが任意のセルの共通制御チャネルＣＣＣＨ上で送信するＲＲＣメッセージのＳＲＮＣ−ＩＤおよびＳ−ＲＮＴＩフィールド上にこの情報を含むことによってそれ自体を識別することになる。
【００２５】
ＲＲＣ通信を確立する前記ステップについては、後段で図３を参照してより詳細に説明する。ただし、このステップは、移動体制御ＭＣをインスタンス化すると共に、必要な識別子ＩＤを端末またはその移動体制御に提供するために、図１ａおよび１ｂで説明する方法でも図２ａおよび２ｂで説明する方法でも必要である。
【００２６】
この通信を確立した後で、図１ａに示すように方法を実施する。具体的には、ステップ１ｂ）で、端末ＵＥから、その端末ＵＥが位置するセルの共通制御チャネルＣＣＣＨを介して、前記分散無線ネットワーク制御装置ＲＮＣ内の前記セルに関連付けられたセル制御ＣＣにメッセージを送信する。この端末は、ＲＲＣ確立中にネットワークによって以前に提供された情報、すなわちそれが関連する移動体制御の親ページングおよび同報通信のＰＰ＆Ｂ−ｉｄおよび前記移動体制御を識別するＵＳＥＲ−ｉｄ（この特定の親ページングおよび同報通信に関連付けられた移動体制御機能エンティティの１つを一意に識別するため）を含むフィールドＳＲＮＣ−ｉｄおよびＳ−ＲＮＴＩを使用して、端末自体を識別する。その後ステップ１ｃ）で、セル制御ＣＣは、端末ＵＥから受信したメッセージを、前記セル制御ＣＣに関連付けられたページングおよび同報通信Ｐ＆Ｂ機能エンティティに転送する。そのセル制御ＣＣに関連付けられたページングおよび同報通信機能エンティティがそのメッセージ内で識別され移動体制御ＭＣに関連付けられた親ページングおよび同報通信機能エンティティと同一である場合は、前記ページングおよび同報通信Ｐ＆Ｂは、ＵＳＥＲ−ｉｄで識別される前記移動体制御にそのメッセージを転送する（ステップ１ｄ））。移動体制御のトランスポートアドレスは、その移動体制御が（ＲＲＣ接続確立中に）インスタンス化されるときにＰＰ＆Ｂによって格納されるので、知られている。
【００２７】
図１ｂに、セル制御ＣＣに関連付けられたページングおよび同報通信Ｐ＆Ｂ機能エンティティが、移動体制御ＭＣに関連付けられたいわゆる親ページングおよび同報通信ＰＰ＆Ｂ機能エンティティと同一でない場合を示す。その場合、ステップｂ）は図１ａを参照して前述したステップｂ）に対応する。ステップ１ｃ−１）によれば、メッセージはセル制御によって、前記セル制御に関連付けられたページングおよび同報通信Ｐ＆Ｂ機能エンティティに転送される。その後、前記ページングおよび同報通信機能エンティティはそのメッセージを、移動体制御に関連付けられた親ページングおよび同報通信機能エンティティに送信する（ステップ１ｃ−２））。これが可能なのは、端末ＵＥによって生成されたメッセージが、前記親ページングおよび同報通信機能エンティティを識別するＳＲＮＣ−ＩＤを含むからである。最後に、メッセージはこの場合もやはり、親ページングおよび同報通信から移動体制御ＭＣに送信される（ステップ１ｄ））。
【００２８】
セルに関連付けられたページングおよび同報通信が親ページングおよび同報通信に対応しない場合には、セル制御に関連付けられたページングおよび同報通信Ｐ＆Ｂは、（そのメッセージのＳＲＮＣ−ＩＤフィールド内に入れて送信されたＰＰ＆Ｂ−ＩＤで識別される）移動体制御に関連付けられた親ページングおよび同報通信ＰＰ＆Ｂにそのメッセージを転送し、そこから次に、そのメッセージのＳ−ＲＮＴＩフィールドに含まれるＵＳＥＲ−ＩＤを使用してそのメッセージを前記移動体制御に転送する。
【００２９】
図２ａに、逆方向、すなわち移動体制御ＭＣからセル制御または端末ＵＥまでメッセージを経路指定する方法を示す。この方法もまた、移動体制御をインスタンス化すると共に、前記移動体制御およびそれに関連する端末に必要な識別子、具体的にはＵＳＥＲ−ＩＤ、ならびにその移動体制御に関連付けられた親ページングおよび同報通信ＰＰ＆Ｂを識別するＰＰ＆Ｂ−ＩＤおよびそのトランスポートアドレスを提供するために、無線リソース制御ＲＲＣ接続の事前の確立を必要とする（ステップ４ａ））。
【００３０】
図２ａによればこの方法は、メッセージを、前記移動体制御ＭＣから、その移動体制御ＭＣによって知られているそのメッセージのＲＮＣ−ＩＤおよびトランスポートアドレスで識別される親ページングおよび同報通信ＰＰ＆Ｂに送信するステップ４ｂ）を含む。経路指定されるメッセージは、移動体制御のＵＳＥＲ−ＩＤおよび親ページングおよび同報通信機能エンティティのＰＰ＆Ｂ−ＩＤだけでなく、前記メッセージによってアドレス指定されたセルのセルＩＤおよび前記アドレス指定されたセルに関連付けられたページングおよび同報通信Ｐ＆ＢのＲＮＣ−ＩＤも含む。前記親ページングおよび同報通信ＰＰ＆Ｂが前記セル制御に関連付けられたページングおよび同報通信Ｐ＆Ｂと同一である場合には、具体的には後述する２つの識別子を用いて、その親ページングおよび同報通信がそれに関連するセル制御にメッセージを転送することが可能である（ステップ４ｃ））。
【００３１】
同一でない場合は、親ページングおよび同報通信ＰＰ＆Ｂは、そのメッセージと共に送信されたＰ＆Ｂ−ＩＤで識別される宛先セル制御に関連付けられたページングおよび同報通信にそのメッセージを転送し、次にそこからそのＣｅｌｌ−ＩＤを使用して前記セル制御にそのメッセージを転送する。
【００３２】
最後に、セル制御ＣＣは、共通制御チャネルＣＣＨを介してそのメッセージを送信し、それをそのセル制御に関連付けられたセル内に位置するすべての端末が受信する。それぞれフィールドＳＲＮＣ−ｉｄおよびＳ−ＲＮＴＩに入れて送信されるＰＰ＆Ｂ−ｉｄおよびＵＳＥＲ−ＩＤを用いて、アドレス指定された端末は、受信したメッセージがその端末にアドレス指定されたものであることを認識する（ステップ４ｄ））。
【００３３】
図２ｂに、図１ｂと同様の事例、すなわち移動体制御ＭＣに関連付けられた親ページングおよび同報通信ＰＰ＆Ｂが、メッセージ内でアドレス指定されたセル制御に関連付けられたページングおよび同報通信Ｐ＆Ｂと同一ではない場合を示す。図１ですでに説明したように、その場合、メッセージは親ページングおよび同報通信から、アドレス指定されたセルのセル制御に関連付けられたページングおよび同報通信を介して送信される（ステップ４ｃ−１）、４ｃ−２））。
【００３４】
移動体制御からセル制御に、またはその逆に経路指定するには、最初に各ページングおよび同報通信Ｐ＆Ｂを、そのＰ＆Ｂ−ｉｄおよびそれに関連するトランスポートアドレスを含む他のすべてのページングおよび同報通信Ｐ＆Ｂの一覧、ならびにそのＣｅｌｌ−ＩＤおよびそれに関連するトランスポートアドレスを含む、それに関連するセル制御機能エンティティＣＣの一覧を用いて構成する必要がある。さらに、各セル制御も、最初に、それに関連するページングおよび同報通信Ｐ＆ＢのＰ＆Ｂ−ｉｄおよびトランスポートアドレスを用いて構成する必要がある。
【００３５】
図３に、すでに述べた無線リソース制御ＲＲＣ接続の確立を示す。前記プロセスは、端末が無線アクセスネットワーク向けの通信を開始したいと望む場合に移動体制御をインスタンス化するために働く。さらにこのプロセスは、移動体制御ＭＣおよび端末ＵＥに必要な識別子ＩＤを適用するために働く。
【００３６】
具体的には、通信を確立するプロセスでは、その端末ＵＥから共通制御チャネルＣＣＣＨを介して、端末ＵＥが位置するセルのセル制御ＣＣにＲＲＣメッセージが送信される（ステップａ１））。前記セル制御ＣＣは、ステップａ２）で、それに関連付けられたページングおよび同報通信Ｐ＆Ｂに、受信したＲＲＣメッセージについて通知する。前記通知に応答して、ステップａ３）で、そのページングおよび同報通信機能エンティティは、新規の移動体制御ＭＣをインスタンス化、すなわち作成する。このようにして、ＲＲＣメッセージを受信するセルに関連付けられたページングおよび同報通信は、新規に作成された移動体制御の親ページングおよび同報通信Ｐ＆Ｂ機能エンティティになる。
【００３７】
さらに、親ページングおよび同報通信は前記新規作成された移動体制御ＭＣに、端末と前記新規の移動体制御の両方を識別する一意のＵＳＥＲ−ＩＤを割り振る（ステップａ４））。その後、その親ページングおよび同報通信ＰＰ＆Ｂは、そのＵＳＥＲ−ＩＤおよび前記移動体制御のトランスポートアドレスを格納し（ステップａ５））、前記ＵＳＥＲ−ＩＤならびにそれ自体のＰＰ＆Ｂ−ＩＤおよびそれ自体のトランスポートアドレスを前記移動体制御ＭＣに送信する（ステップａ６））。
【００３８】
最後のステップａ７）では、移動体制御ＭＣから端末ＵＥに確立の完了を確認する確認メッセージが返信される。前記確認メッセージは、既存のフィールドＳ−ＲＮＴＩおよびＳＲＮＣ−ｉｄにそれぞれ、移動体制御ＭＣのＵＳＥＲ−ＩＤおよびその移動体制御の親ページングおよび同報通信機能エンティティを識別するＲＮＣ−ＩＤを含む。両識別子は、その端末がセルの共通制御チャネルＣＣＣＨ上でメッセージを送信するときにそれ自体を識別できるようにし、図１ａおよび図１ｂを参照して前述したように、具体的にはインスタンス化された移動体制御までメッセージを経路指定するために使用されることになる。
【００３９】
前述の方法および分散無線ネットワーク制御装置および無線アクセスネットワークは、好ましくは、専用のソフトウェアを走らせる分散サーバプラットフォームとして実施されるものである。
【図面の簡単な説明】
【００４０】
【図１ａ】本発明による第１の方法を示す図である。
【図１ｂ】本発明の第１の方法の別の実施形態を示す図である。
【図２ａ】本発明の第２の方法を示す図である。
【図２ｂ】本発明の前記第２の方法の別の実施形態を示す図である。
【図３】本発明によるＲＲＣ接続確立を示す図である。
【図４】当分野で知られているＵＭＴＳネットワークを示す図である。
【図１ａ】
2004274740.tif 000003
【図１ｂ】
2004274740.tif 000004
【図２ａ】
2004274740.tif 000005
【図２ｂ】
2004274740.tif 000006
【図３】
2004274740.tif 000007
【図４】
2004274740.tif 000008
【外国語明細書】
2004274740.tif 000009
2004274740.tif 000010
2004274740.tif 000011
2004274740.tif 000012
2004274740.tif 000013
2004274740.tif 000014
2004274740.tif 000015
2004274740.tif 000016
2004274740.tif 000017
2004274740.tif 000018
2004274740.tif 000019
2004274740.tif 000020
2004274740.tif 000021
2004274740.tif 000022
2004274740.tif 000023
2004274740.tif 000024
2004274740.tif 000025
2004274740.tif 000026
2004274740.tif 000027
2004274740.tif 000028
2004274740.tif 000029
2004274740.tif 000030
2004274740.tif 000031
2004274740.tif 000032
2004274740.tif 000033
2004274740.tif 000034